(57)【要約】      （修正有）【課題】ユーザがスイッチに誤って触れて作動することを回避できるホース振動按摩容器を提供する。【解決手段】収容ホース１０と、液体排出モジュールと、上蓋３０と、振動ケースと、振動モジュールと、スイッチ規制モジュールを含む。収容ホースは液体を充填可能な第１収容空間１１を有する。液体排出モジュールは、内部に第２液体排出通路２４が形成されるピストンロッド部２５と、第２収容空間２６４及び液体排出口２６１を含むブッシュと、液体排出ヘッド２３とを有する。振動ケースの第２ケース４２には、第１収容空間と第２収容空間を通過する第１液体排出排出通路４２３が設けられる。液体は、第１液体排出通路、液体排出口、第２液体排出通路を順に経由し、液体排出ヘッドに流入する。【選択図】図３
0003173268.tif 000002
【実用新案登録請求の範囲】
【請求項１】
その内部に第１収容空間が設けられ、前記第１収容空間に液体を充填可能であり、その天部の外縁に第１螺旋が設けられる収容ホースと、
中空状を呈し、液体排出蓋と、漏れ止め子と、液体排出ヘッドと、第２液体排出通路と、ピストンロッド部と、ブッシュと、バネと、を含み、前記ピストンロッド部内に前記第２液体排出通路が形成され、前記ブッシュは、液体排出口と、外止め縁と、内止め縁と、第２収容空間と、を含み、前記第２収容空間内に前記ピストンロッド部が収容されており、前記ピストンロッド部と前記ブッシュの間に前記バネが嵌め設けられている液体排出モジュールと、
その端部の開口の内縁に第１係合凸縁が設けられ、その内部には、押上げ止め部が設けられ、液体排出モジュールが収容されている上蓋と、
第１ケースと、第２ケースと、を含み、前記液体排出モジュールの前記ブッシュが止められて前記第１ケースの出口端に位置し、前記第１ケースの他端に凸縁が設けられ、前記第２ケースの一端に前記凸縁が固定され、前記第２ケースの他端の内縁に第２螺旋が設けられ、前記第１螺旋と前記第２螺旋を螺合することにより、前記第２ケースが前記収容ホースに螺着され、前記第２ケースの中段に開口が設けられ、前記開口は、一側に保護蓋が枢着され、他側が前記保護蓋と係合可能であり、前記第２ケースの内部には、前記第１収容空間と前記第２収容空間を連通する第１液体排出通路が設けられる振動ケースと、
前記第２ケース内に組み付けられ、振動モータと、電池と、モータ受け台と、電池受け台と、を含み、前記モータ受け台に前記振動モータが組み付けられており、前記振動モータが前記電池受け台と電気的に接続する振動モジュールと、
第１電極片と、第２電極片と、スイッチと、スイッチ規制具と、を含み、前記第１電極片が前記電池と電気的に接続し、前記第２電極片が前記振動モータと電気的に接続し、前記スイッチには、押付保持部と、押圧保持部と、規制溝と、が設けられ、前記スイッチ規制具には、規制段と、作動段と、押付止め部と、が設けられ、前記第１ケースに前記上蓋を被ったときには、前記スイッチ規制具の前記押付止め部が押えられて、前記規制段が前記スイッチの前記規制溝に係止され、前記上蓋を取り外したときには、前記スイッチ規制具の弾力により、前記スイッチの前記規制溝に前記作動段が押し込まれるスイッチ規制モジュールと、
を含み、
前記ピストンロッド部が前記液体排出口と連通するときには、前記第１収容空間にある液体は、前記第１液体排出通路、前記液体排出口と前記第２液体排出通路を順次に経由して、前記液体排出ヘッドに流入することを特徴とするホース振動按摩容器。
【請求項２】
前記ピストンロッド部の一端の外縁に環状溝が設けられ、前記環状溝に前記漏れ止め子が収容されていることを特徴とする、請求項１に記載のホース振動按摩容器。
【請求項３】
前記液体排出ヘッドは、前記液体排出蓋を介して前記ピストンロッド部に嵌め設けられ、転がり可能であることを特徴とする、請求項１に記載のホース振動按摩容器。
【考案の詳細な説明】
【技術分野】
【０００１】
本考案は、振動按摩容器に関し、特に、上蓋の開閉によってスイッチ規制具をリリースし、又は圧制することができ、これにより、スイッチを作動し、又は制動することができ、ユーザがスイッチに誤って触れて作動することを回避できるホース振動按摩容器に関するものである。
【背景技術】
【０００２】
従来の振動按摩容器は、ユーザは、何時でも何処でも按摩できるようにするために、身の回りに按摩容器を携帯することが一般的である。しかし、スイッチに誤って触れて按摩容器を起動するため、按摩容器を利用したいときに、電力が切れて利用できなくなることがあり、更に、按摩容器が持続に振動するため、振動モータが損壊しやすい問題があった。
【考案の概要】
【考案が解決しようとする課題】
【０００３】
本考案の主な目的は、上蓋の開閉によってスイッチ規制具をリリースし、又は圧制することができ、これにより、スイッチを作動し、又は制動することができ、ユーザがスイッチに誤って触れて作動することを回避できるホース振動按摩容器を提供することにある。
【０００４】
本考案の次の目的は、振動モジュールに合せて利用できるホース振動按摩容器を提供することにある。
【０００５】
本考案の別の目的は、液体排出モジュールによって液体を塗布すると同時に、振動によってユーザを按摩することができるホース振動按摩容器を提供することにある。
【課題を解決するための手段】
【０００６】
本考案のホース振動按摩容器によると、その内部に第１収容空間が設けられ、第１収容空間に液体を充填可能であり、その天部の外縁に第１螺旋が設けられる収容ホースと、
中空状を呈し、液体排出蓋と、漏れ止め子と、液体排出ヘッドと、第２液体排出通路と、ピストンロッド部と、ブッシュと、バネと、を含み、ピストンロッド部内に第２液体排出通路が形成され、ブッシュは、液体排出口と、外止め縁と、内止め縁と、第２収容空間と、を含み、第２収容空間内にピストンロッド部が収容されており、ピストンロッド部とブッシュの間にバネが嵌め設けられている液体排出モジュールと、
その端部の開口の内縁に第１係合凸縁が設けられ、その内部には、押上げ止め部が設けられ、液体排出モジュールが収容されている上蓋と、
第１ケースと、第２ケースと、を含み、液体排出モジュールのブッシュが止められて第１ケースの出口端に位置し、第１ケースの他端に凸縁が設けられ、第２ケースの一端に凸縁が固定され、第２ケースの他端の内縁に第２螺旋が設けられ、第１螺旋と第２螺旋を螺合することにより、第２ケースが収容ホースに螺着され、第２ケースの中段に開口が設けられ、開口は、一側に保護蓋が枢着され、他側が保護蓋と係合可能であり、第２ケースの内部には、第１収容空間と第２収容空間を連通する第１液体排出通路が設けられる振動ケースと、
第２ケース内に組み付けられ、振動モータと、電池と、モータ受け台と、電池受け台と、を含み、モータ受け台に振動モータが組み付けられており、振動モータが電池受け台と電気的に接続する振動モジュールと、
第１電極片と、第２電極片と、スイッチと、スイッチ規制具と、を含み、第１電極片が電池と電気的に接続し、第２電極片が振動モータと電気的に接続し、スイッチには、押付保持部と、押圧保持部と、規制溝と、が設けられ、スイッチ規制具には、規制段と、作動段と、押付止め部と、が設けられ、第１ケースに上蓋を被ったときには、スイッチ規制具の押付止め部が押えられて、規制段がスイッチの規制溝に係止され、上蓋を取り外したときには、スイッチ規制具の弾力により、スイッチの規制溝に作動段が押し込まれるスイッチ規制モジュールと、
を含み、
ピストンロッド部が液体排出口と連通するときには、第１収容空間にある液体は、第１液体排出通路、液体排出口と第２液体排出通路を順次に経由して、液体排出ヘッドに流入することを特徴とする。
【０００７】
本考案のホース振動按摩容器によると、ピストンロッド部の一端の外縁に環状溝が設けられ、環状溝に漏れ止め子が収容されていることを特徴とする。
【０００８】
本考案のホース振動按摩容器によると、液体排出ヘッドは、液体排出蓋を介してピストンロッド部に嵌め設けられ、転がり可能であることを特徴とする。
【考案の効果】
【０００９】
本考案のホース振動按摩容器によれば、次のような効果がある。
（１）上蓋の開閉によってスイッチ規制具をリリースし、又は圧制することができ、これにより、スイッチを作動し、又は制動することができ、ユーザがスイッチに誤って触れて作動することを回避できる。
【００１０】
（２）振動モジュールに合せて利用できる。
【００１１】
（３）液体排出モジュールによって液体を塗布すると同時に、振動によってユーザを按摩することができる。
【図面の簡単な説明】
【００１２】
【図１】本考案の一実施例の組合済み状態を示す斜視図である。
【図２】本考案の一実施例を示す分解斜視図である。
【図３】本考案の一実施例の組合済み状態を示す断面図である。
【図４】本考案の一実施例の液体の流動を示す模式図である。
【図５】本考案の一実施例のスイッチ規制モジュールを示す分解斜視図である。
【図６】本考案の一実施例の電池の取換を示す模式図である。
【図７】本考案の一実施例のスイッチが制動されている状態を示す模式図である。
【図８】本考案の一実施例のスイッチが作動されている状態を示す模式図である。
【図９】本考案の一実施例の電気回路がオープンループとなった状態を示す模式図である。
【図１０】本考案の一実施例の電気回路がクローズドループとなった状態を示す模式図である。
【考案を実施するための最良の形態】
【００１３】
以下、本考案の実施の形態を図面に基づいて説明する。
まず、図１乃至図６を参照する。本考案の一実施例のホース振動按摩容器は、収容ホース１０と、液体排出モジュール２０と、上蓋３０と、振動ケース４０と、振動モジュール５０と、スイッチ規制モジュール６０と、を含む。
【００１４】
収容ホース１０は、その内部に第１収容空間１１が設けられ、第１収容空間１１に液体を充填可能であり、その天部の外縁に第１螺旋１２が設けられる。
【００１５】
液体排出モジュール２０は、中空状を呈し、液体排出蓋２１と、漏れ止め子２２と、液体排出ヘッド２３と、第２液体排出通路２４と、ピストンロッド部２５と、ブッシュ２６と、バネ２７と、を含む。ピストンロッド部２５の一端の外縁に環状溝２５１が設けられ、環状溝２５１に漏れ止め子２２が収容されている。漏れ止め子２２はＯリングである。液体排出ヘッド２３は玉である。液体排出ヘッド２３は、液体排出蓋２１を介してピストンロッド部２５に嵌め設けられ、転がり可能である。これにより、液体排出ヘッド２３の脱出を防止できる。漏れ止め子２２は、液体排出蓋２１とピストンロッド部２５を緊迫するため、液体の漏れ出しを防止できる。ピストンロッド部２５内に第２液体排出通路２４が形成される。ブッシュ２６は、液体排出口２６１と、外止め縁２６２と、内止め縁２６３と、第２収容空間２６４と、を含む。第２収容空間２６４内にピストンロッド部２５が収容されている。ピストンロッド部２５とブッシュ２６の間にバネ２７が嵌め設けられている。
【００１６】
上蓋３０は、その端部の開口の内縁に第１係合凸縁３１が設けられ、その内部には、押上げ止め部３２が設けられる。
【００１７】
振動ケース４０は、第１ケース４１と、第２ケース４２と、を含む。第１ケース４１の一端に凸縁４１１が設けられる。第２ケース４２の一端に凸縁４１１が固定される。第１ケース４１の周面の中段に第２係合凸縁４１２が設けられる。第１係合凸縁３１と第２係合凸縁４１２を係合することにより、第１ケース４１に上蓋３０が嵌め設けられる。第２ケース４２の他端の内縁に第２螺旋４２１が設けられる。第１螺旋１２と第２螺旋４２１を螺合することにより、収容ホース１０に第２ケース４２が螺着される。第２ケース４２の中段に開口４２２が設けられる。開口４２２は、一側に保護蓋４３が枢着され、他側が保護蓋４３と係合可能である。第２ケース４２の内部には、第１収容空間１１と第２収容空間２６４を連通する第１液体排出通路４２３が設けられる。
【００１８】
振動モジュール５０は、第２ケース４２内に組み付けられ、振動モータ５１と、電池５２と、モータ受け台５３と、電池受け台５４と、を含む。振動モータ５１は、モータ受け台５３に組み付けられており、偏心回転ブロック５５を有する。振動モータ５１により偏心回転ブロック５５が駆動されて回転する。偏心回転ブロック５５の回転により、本考案の一実施例のホース振動按摩容器全体を振動できる。振動モータ５１は電池受け台５４の正極と電気的に接続する。電池５２は電池受け台５４に収容される。電力が切れたときには、図６に示すように、保護蓋４３を開けて電池５２を取り替えることができる。
【００１９】
スイッチ規制モジュール６０は、第１電極片６１と、第２電極片６２と、スイッチ６３と、スイッチ規制具６４と、を含む。第１電極片６１は電池５２の負極と電気的に接続する。第２電極片６２は振動モータ５１の負極と電気的に接続する。スイッチ６３には、押付保持部６３１と、押圧保持部６３２と、規制溝６３３と、が設けられる。スイッチ規制具６４には、規制段６４１と、作動段６４２と、押付止め部６４３と、が設けられる。第１ケース４１に上蓋３０を被ったときには、スイッチ規制具６４の押付止め部６４３が押えられて、規制段６４１がスイッチ６３の規制溝６３３に係止される。上蓋３０を取り外したときには、スイッチ規制具６４の弾力により、スイッチ６３の規制溝６３３に作動段６４２が押し込まれる。
【００２０】
ブッシュ２６は、外止め縁２６２に止められて、第１ケース４１の出口端に位置する。ピストンロッド部２５の止め部２５２の一側は、ブッシュ２６の内止め縁２６３に止められる。上蓋３０の開閉により、液体排出口２６１は、バネ２７をリリースし、又は圧縮することができ、これにより、液体排出モジュール２０のピストンロッド部２５が連動されて液体排出口２６０を塞ぎ、又は開放することができる。これにより、第１収容空間１１と第２液体排出通路２４を連通せず、又は連通することができる。第１収容空間１１と第２液体排出通路２４が連通状態にある場合には、第１収容空間１１にある液体は、第１液体排出通路４２３、液体排出口２６１と第２液体排出通路２４を順次に経由して、液体排出ヘッド２３に流入する。このように、ユーザは前記液体を利用できる。
【００２１】
また、上蓋３０を取り外したときには、スイッチ規制具６４の弾力がリリースされて、スイッチ６３の規制溝６３３に作動段６４２が押し込まれる。このとき、スイッチ６３の押圧保持部６３２を押えると、第１電極片６１は、スイッチ６３の押付保持部６３１に押付けられて、第２電極片６２と接触して、図８及び図１０に示すように、電気回路がクローズドループとなる。そうすると、電池６２の電力が振動モータ５１に供給されて、振動モータ５１を起動する。なお、第１ケース４１に上蓋３０を被ったときには、スイッチ規制具６４の押付止め部６４３が押えられて、規制段６４１がスイッチ６３の規制溝６３３に係止される。このとき、スイッチ６３が制動されて、図７及び図９に示すように、第１電極片６１と第２電極片６２が接触できず、電気回路がオープンループとなる。このように、電池６２の電力が振動モータ５１に供給されることができず、振動モータ５１を起動できない。
【符号の説明】
【００２２】
１０：収容ホース
１１：第１収容空間
１２：第１螺旋
２０：液体排出モジュール
２１：液体排出蓋
２２：漏れ止め子
２３：液体排出ヘッド
２４：第２液体排出通路
２５：ピストンロッド部
２６：ブッシュ
２７：バネ
３０：上蓋
３１：第１係合凸縁
３２：押上げ止め部
４０：振動ケース
４１：第１ケース
４２：第２ケース
４３：保護蓋
５０：振動モジュール
５１：振動モータ
５２：電池
５３：モータ受け台
５４：電池受け台
５５：偏心回転ブロック
６０：スイッチ規制モジュール
６１：第１電極片
６２：第２電極片
６３：スイッチ
６４：スイッチ規制具
２５１：環状溝
２５２：止め部
２６１：液体排出口
２６２：外止め縁
２６３：内止め縁
２６４：第２収容空間
４１１：凸縁
４１２：第２係合凸縁
４２１：第２螺旋
４２２：開口
４２３：第１液体排出通路
６３１：押付保持部
６３２：押圧保持部
６３３：規制溝
６４１：規制段
６４２：作動段
６４３：押付止め部
【産業上の利用可能性】
【００２３】
本考案は、振動按摩容器に適用することができる。
【図１】
0003173268.tif 000003
【図２】
0003173268.tif 000004
【図３】
0003173268.tif 000005
【図４】
0003173268.tif 000006
【図５】
0003173268.tif 000007
【図６】
0003173268.tif 000008
【図７】
0003173268.tif 000009
【図８】
0003173268.tif 000010
【図９】
0003173268.tif 000011
【図１０】
0003173268.tif 000012